(57)【要約】【課題】部品点数を極力抑えて、保守員に点検・交換対象とする機器の設置位置を容易に知らせる。【解決手段】主制御基板１１は、各機器毎に割り当てられた用品番号に対応させて、各機器の種類を示す種別情報を含んだ機器コード１４ａを記憶した記憶部１４と、点検・交換対象とする機器の用品番号を入力するための入力部１５と、この入力部１５から入力された用品番号に基づいて記憶部１４から当該機器の機器コード１４ａを読み出し、機器コード１４ａに含まれる種別情報から当該機器の種類を判断し、当該機器が発光部品付きであれば、その発光部品を点灯制御して当該機器の設置位置を知らせる主制御部１２とを備える。【選択図】      図１
2013018593.tif 000002
【特許請求の範囲】
【請求項１】
エレベータを構成する複数の機器の一部に発光部品が設けられたエレベータの保守システムにおいて、
上記各機器毎に割り当てられた用品番号に対応させて、上記各機器の種類を示す種別情報を含んだコード情報を記憶した記憶手段と、
点検・交換対象とする機器の用品番号を入力するための入力手段と、
この入力手段から入力された用品番号に基づいて上記記憶手段から当該機器のコード情報を読み出し、上記コード情報に含まれる上記種別情報から当該機器の種類を判断し、当該機器が発光部品付きであれば、その発光部品を点灯制御して当該機器の設置位置を知らせる制御手段と
を具備したことを特徴とするエレベータの保守システム。
【請求項２】
上記コード情報には、上記各機器の設置位置を示す位置情報を含み、
上記制御手段は、
当該機器が発光部品付きでない場合には、上記位置情報に基づいて当該機器に近接した発光部品付きの機器を検索し、その機器の発光部品を点滅制御して当該機器が近くに存在することを知らせることを特徴とする請求項１記載のエレベータの保守システム。
【請求項３】
上記制御手段は、
当該機器とその近くにある機器との間の距離に応じて上記発光部品の点滅速度を段階的に変更することを特徴とする請求項２記載のエレベータの保守システム。
【請求項４】
上記制御手段は、
当該機器が発光部品付きでなく、かつ、その設置位置を特定できない場合には、当該機器に関連した複数の機器を検索し、これらの機器の発光部品に対する点滅パターンを変えて点滅制御することを特徴とする請求項２記載のエレベータの保守システム。
【請求項５】
上記発光部品付きでなく、かつ、その設置位置を特定できない機器とはケーブルのことであり、
上記制御手段は、
上記ケーブルに接続された複数の機器の発光部品に対する点滅パターンを変えて点滅制御することを特徴とする請求項４記載のエレベータの保守システム。
【発明の詳細な説明】
【技術分野】
【０００１】
本発明の実施形態は、エレベータの各機器の点検・交換作業を補助するエレベータの保守システムに関する。
【背景技術】
【０００２】
一般に、エレベータの制御装置の内部や、乗りかごや乗り場に設けられた操作盤の内部には、例えばユーザ操作の検出機能、機器間の通信機能、動力部の制御機能、電源の供給機能など、様々な機能を有する機器が内蔵されている。エレベータの保守員は、これらの機器の劣化状態を定期的に点検し、必要に応じて交換する必要がある。
【０００３】
ところが、上述した制御装置内や操作盤内に設置されている各機器の位置や形状は、常に同じであるとは限らず、エレベータの機種や据付年度などで異なる。このため、保守員は点検または交換の対象機器を直ぐに見つけることができず、その都度、マニュアルを参照して位置を確認するなどして作業に手間を要することがあった。
【０００４】
そこで、機器に表示ランプを設けておき、交換時期に表示ランプを点灯することで、保守員に知らしめる方法がある。
【先行技術文献】
【特許文献】
【０００５】
【特許文献１】特開２００８−３７６２８号公報
【発明の概要】
【発明が解決しようとする課題】
【０００６】
しかしながら、点検・交換対象とする機器は多数存在するため、これらの機器の１つ１つに表示ランプを設置した場合には部品点数が増加してコストがかかる。また、例えば機器間を繋ぐ信号ケーブルなどは表示ランプを実装することができないため、別な箇所へ専用の表示ランプを設置する必要がある。
【０００７】
本発明が解決しようとする課題は、部品点数を極力抑えて、保守員に点検・交換対象とする機器の設置位置を容易に知らせることのできるエレベータの保守システムを提供することである。
【課題を解決するための手段】
【０００８】
本実施形態に係るエレベータの保守システムは、エレベータを構成する複数の機器の一部に発光部品が設けられたエレベータの保守システムにおいて、上記各機器毎に割り当てられた用品番号に対応させて、上記各機器の種類を示す種別情報を含んだコード情報を記憶した記憶手段と、点検・交換対象とする機器の用品番号を入力するための入力手段と、この入力手段から入力された用品番号に基づいて上記記憶手段から当該機器のコード情報を読み出し、上記コード情報に含まれる上記種別情報から当該機器の種類を判断し、当該機器が発光部品付きであれば、その発光部品を点灯制御して当該機器の設置位置を知らせる制御手段とを具備する。
【図面の簡単な説明】
【０００９】
【図１】図１は一実施形態に係るエレベータの保守システムの構成を示すブロック図である。
【図２】図２は同実施形態における主制御部の処理動作を示すフローチャートである。
【図３】図３は同実施形態における発光部品付きの機器を点検・交換対象とした場合の具体例を示す図である。
【図４】図４は同実施形態における発光部品付きの機器を点検・交換対象とした場合の具体例を示す図である。
【図５】図５は同実施形態における発光部品付きでなく、かつ、設置位置を特定できない機器を点検・交換対象とした場合の具体例を示す図である。
【発明を実施するための形態】
【００１０】
以下、図面を参照して実施形態を説明する。
【００１１】
図１は一実施形態に係るエレベータの保守システムの構成を示すブロック図である。
【００１２】
エレベータ制御盤１０は、主にエレベータ専用の機械室や昇降路内に設置されている。このエレベータ制御盤１０には、エレベータの運転制御を司る主制御基板１１と、モータ制御や制御信号の送受信などを行う複数（この例では４つ）の制御盤機器２１，３１，４１，５１が備えられている。制御盤機器２１，３１，４１は主制御基板１１とケーブル６１，６２を介して接続され、制御盤機器４１と制御盤機器５１はケーブル６３で接続されている。
【００１３】
なお、図１の例では、制御盤機器２１を制御盤機器Ａ、制御盤機器３１を制御盤機器Ｂ、制御盤機器４１を制御盤機器Ｃ、制御盤機器５１を制御盤機器Ｄとして表現されている。これらの制御盤機器が担う具体的な機能については本発明とは直接関係しないため、その説明は省略するものとする。また、制御盤機器の数も特に図１の例に限られるものではない。
【００１４】
主制御基板１１には、ＣＰＵに相当する主制御部１２と、この主制御部１２に接続された発光部品１３、記憶部１４、入力部１５が設けられている。
【００１５】
主制御部１２は、主制御基板１１の発光部品１３を含め、各機器の発光部品に対する点灯・点滅・消灯の制御を行う機能を有する。
【００１６】
発光部品１３は、主制御基板１１の動作状況を確認するためのものであり、例えばＬＥＤ（light emitting diode）などからなる。
【００１７】
記憶部１４は、ＲＯＭやＲＡＭなどからなり、主制御部１２の動作に必要な各種情報を記憶している。本実施形態において、この記憶部１４には、エレベータを構成する各機器毎に割り当てられた用品番号に対応させて、各機器の種類を示す種別情報（以下、用品種と称す）と、各機器の設置位置を示す位置情報をコード化した情報（以下、機器コードと称す）１４ａが記憶されている。
【００１８】
入力部１５は、保守員がキー操作あるいはボタン操作などによりデータの入力や指示を行うためのものである。主制御部１２では、この入力部１５からの入力指示に従って所定の処理を実行する。
【００１９】
制御盤機器２１（制御盤機器Ａ）には、制御盤機器２１の動作を制御する制御部２２と、その動作状況を確認するための発光部品２３が備えられている。同様に、制御盤機器３１（制御盤機器Ｂ）には、制御盤機器３１の動作を制御する制御部３２と、その動作状況を確認するための発光部品３３が備えられている。
【００２０】
制御盤機器４１（制御盤機器Ｃ）には、制御盤機器２１の動作を制御する制御部４２が備えられている。制御盤機器５１（制御盤機器Ｄ）には、制御盤機器２１の動作を制御する制御部５２と、その動作状況を確認するための発光部品５３が備えられている。
【００２１】
主制御基板１１を含め各機器に実装されている発光部品は、エレベータが平常運転を行っている時には点滅し、動作停止中は点灯または消灯することで、保守員が容易に機器の動作状況を確認できるようにしたものである。以降の説明で用いる各機器に実装される発光部品についても同様である。
【００２２】
エレベータの乗りかごには、主制御基板１１との通信を行う通信制御機器、かご内のファンや照明器具の制御機器や、利用者が行き先を登録する操作盤の制御機器などが備えられている。本実施形態では、代表としてかご機器７１だけを図示してある。このかご機器７１には、ケーブル９１を介して主制御基板１１に接続されており、かご機器７１の動作を制御する制御部７２と、その動作状況を確認するためのご発光部品７３が備えられている。
【００２３】
エレベータの乗場には、主制御基板１１との通信を行う通信制御機器、利用者がエレベータの乗りかごを呼ぶための操作盤の制御機器などが備えられている。本実施形態では、代表として乗場機器８１だけを図示してある。この乗場機器８１には、ケーブル９２を介して主制御基板１１に接続されており、乗場機器８１の動作を制御する制御部８２と、その動作状況を確認するための発光部品８３が備えられている。
【００２４】
図２は本実施形態における主制御部１２の処理動作を示すフローチャートである。なお、このフローチャートで示される処理は、コンピュータである主制御部１２が所定のプログラムを読み込むことにより実行される。
【００２５】
保守員は、エレベータ制御盤１０の近くで入力部１５を操作することにより、主制御部１２に対して所定のプログラムを実行させるができる。具体的には、入力部１５を複数のスイッチと簡易的な表示部で構成し、保守員がスイッチを操作することで、主制御部１２へ実行コマンドを入力する。なお、入力部１５に無線通信装置を搭載しておき、保守員が遠隔地から実行コマンドを送信するような構成としてもよい。
【００２６】
また、エレベータを構成する各機器には、それぞれに固有の用品番号が割り当てられている。機器コード１４ａには、これらの用品番号に対応付けて用品種と位置情報が記録されている。
【００２７】
用品種については、以下のような３つのコードがある。
【００２８】
「０１：発光部品ありの機器」  
「０２：発光部品なしの機器」  
「０３：ケーブル」
位置情報については、例えばエレベータ制御盤１０であれば、その制御盤内の平面レイアウトを横方向（Ｘ）、縦方向（Ｙ）に８等分のエリアに分割し、制御盤の左下の分割エリアを（０，０），対角の分割エリアを（７，７）と定めておくものとする。
【００２９】
（ａ）発光部品付きの機器を点検・交換対象とした場合
ここで、発光部品付きの機器を点検・交換対象とした場合の処理について、図３を用いて説明する。
【００３０】
図３に示すように、エレベータ制御盤１０内に主制御基板１１、制御盤機器２１、制御盤機器３１がそれぞれ備えられており、さらに、発光部品を実装していない制御盤機器４１と、発光部品５３を実装した制御盤機器５１が備えられている。
【００３１】
図中の点線は、エレベータ制御盤１０をＸ方向、Ｙ方向にそれぞれ８等分したエリアを示しており、左下のエリアの位置情報を（Ｘ，Ｙ）＝（０，０）とし、右上のエリアの位置情報を（Ｘ，Ｙ）＝（７，７）とする。
【００３２】
今、保守員がエレベータ制御盤１０内の制御盤機器２１を点検または交換する作業を行う場合を想定する。  
保守員が入力部１５を通じて制御盤機器２１の用品番号を入力すると（ステップＳ１１）、主制御部１２は、入力された用品番号に対応した機器コード１４ａを記憶部１４から読み出し、その機器コード１４ａから制御盤機器２１の用品種と位置情報を判断する（ステップＳ１２）。
【００３３】
この場合、制御盤機器２１の用品種は「０１：発光部品ありの機器」、位置情報は（Ｘ，Ｙ）＝（４，４）となる。
【００３４】
主制御部１２は、保守員が点検・交換対象として指定した制御盤機器２１の用品種が「０１：発光部品ありの機器」であることを確認すると（ステップＳ１３のＹｅｓ）、制御盤機器２１に対して発光部品２３の点灯を指示し、その他の機器の発光部品（図３の例では発光部品１３，３３，５３）に対して消灯を指示する（ステップＳ１４）。
【００３５】
これにより、制御盤機器２１の発光部品２３のみが点灯することになる。したがって、保守員はマニュアルを見なくとも、制御盤機器２１の場所を容易に判断でき、点検・交換作業を円滑に行えるようになる。
【００３６】
（ｂ）発光部品付きでない機器を点検・交換対象とした場合
次に、発光部品付きでない機器を点検・交換対象とした場合の処理について、図４を用いて説明する。なお、図４において、各機器の構成は図３と同様であるため、ここではその説明を省略する。
【００３７】
今、保守員がエレベータ制御盤１０内の制御盤機器４１を点検または交換する作業を行う場合を想定する。
【００３８】
保守員が入力部１５を通じて制御盤機器４１の用品番号を入力すると（ステップＳ１１）、主制御部１２は、入力された用品番号に対応した機器コード１４ａを記憶部１４から読み出し、その機器コード１４ａから制御盤機器４１の用品種と位置情報を判断する（ステップＳ１２）。
【００３９】
この場合、制御盤機器４１の用品種は「０２：発光部品なしの機器」、位置情報は（Ｘ，Ｙ）＝（２，１）となる。
【００４０】
主制御部１２は、保守員が点検・交換対象として指定した制御盤機器４１の用品種が「０２：発光部品なしの機器」であることを確認すると（ステップＳ１５のＹｅｓ）、制御盤機器４１に近接した発光部品付きの機器を検索し、その機器の発光部品を点滅させる処理を実行する（ステップＳ１６）。
【００４１】
制御盤機器４１に近接した発光部品付きの機器を検索する方法としては、エレベータ制御盤１０内の他の各機器毎に制御盤機器４１の位置情報のＸ値の差分とＹ値の差分との和を機器間距離として求め、機器間距離が所定値以下にある発光部品付きの機器を検索する。
【００４２】
図４の例では、主制御基板１１の位置情報は（Ｘ，Ｙ）＝（１，６）、制御盤機器２１の位置情報は（Ｘ，Ｙ）＝（４，４）、制御盤機器３１の位置情報は（Ｘ，Ｙ）＝（４，３）、制御盤機器５１の位置情報は（Ｘ，Ｙ）＝（５，１）の位置情報である。
【００４３】
したがって、制御盤機器４１の位置情報（２，１）に対する機器間距離は、
主制御基板１１：｜１｜＋｜５｜＝６  
制御盤機器２１：｜２｜＋｜３｜＝５  
制御盤機器３１：｜２｜＋｜２｜＝４  
制御盤機器５１：｜３｜＋｜０｜＝３  
となる。点滅制御を行う機器間距離の判定値が「４」に設定されていたとすると、主制御部１２は、機器間距離が「４」以下の制御盤機器３１の発光部品３３と制御盤機器５１の発光部品５３に対して点滅制御を行い、他の機器に対しては消灯制御を行うことになる。
【００４４】
なお、上記機器間距離に応じて発光部品の点滅速度を段階的に変更してもよい。例えば、機器間距離が「０〜２」の場合は高速点滅、「３〜５］の場合は中速点滅、「６〜７」の場合は低速点滅などとすれば、発光部品の点滅状態から対象機器がどこにあるかを判断し易くなる。この場合、高速点滅の速度をＶ１，中速点滅の速度をＶ２，低速点滅の速度をＶ３とすると、Ｖ１＞Ｖ２＞Ｖ３の関係にある。
【００４５】
このように、保守員が点検・交換作業を行いたい機器に発光部品が実装されていなくても、近接する機器の発光部品の点滅により、その機器の設置位置を容易に判断して点検・交換作業を円滑に行えるようになる。
【００４６】
（ｃ）発光部品付きでなく、かつ、設置位置を特定できない機器を点検・交換対象とした場合
次に、発光部品付きでなく、かつ、設置位置を特定することができない機器を点検・交換対象とした場合の処理について、図５を用いて説明する。なお、図５において、各機器の構成は図３と同様であるため、ここではその説明を省略する。
【００４７】
今、保守員がエレベータ制御盤１０内のケーブル６１の点検または交換する作業を行う場合を想定する。
【００４８】
保守員が入力部１５を通じてケーブル６１の用品番号を入力すると（ステップＳ１１）、主制御部１２は、入力された用品番号に対応した機器コード１４ａを記憶部１４から読み出し、その機器コード１４ａからケーブル６１の用品種と位置情報を判断する（ステップＳ１２）。
【００４９】
この場合、ケーブル６１の用品種は「０３：ケーブル」である。また、用品種が「０３：ケーブル」の場合には、ケーブルの配線経路によっては位置情報を（Ｘ，Ｙ）で示すことが困難であるため、そのケーブルが接続される機器の用品番号がケーブル６１の機器コード１４ａに記録されている。ケーブル６１の場合、主制御基板１１と制御盤機器２１と制御盤機器３１の用品番号が位置情報として記録されている。
【００５０】
主制御部１２は、保守員が点検・交換対象として指定したケーブル６１の用品種が「０３：ケーブル」であることを確認すると（ステップＳ１７のＹｅｓ）、その位置情報として機器コード１４ａに記録された接続機器のうち、用品種が「０１：発光部品ありの機器」に対して発光部品の点滅制御を行う（ステップＳ１８）。
【００５１】
図５の例では、ケーブル６１に接続される主制御基板１１、制御盤機器２１、制御盤機器３１がすべて「０１：発光部品ありの機器」であるため、発光部品１３と発光部品２３と発光部品３３がそれぞれ点滅制御される。
【００５２】
ただし、発光部品を点滅して設置位置を明示する場合に、上記（２）で説明した用品種「０２：発光部品なしの機器」と区別するため、以下のような特殊な点滅制御を行うものとする。
【００５３】
すなわち、消灯を「○」、点灯を「●」とすると、通常の点滅制御が「○●」の繰り返しであることに対して、特殊な点滅制御では「○●○●●●」といったように点滅パターンを通常とは変えて点滅制御するものとする。これにより、「０２：発光部品なしの機器」と区別でき、ケーブル接続機器の発光部品であることを知らせることができる。
【００５４】
他の動作例として、保守員がケーブル６３の用品番号を入力した場合には、ケーブル６３に接続されていて発光部品付きの機器は制御盤機器５１となるため、発光部品５３のみが上述した方法で点滅することになる。
【００５５】
このように、エレベータ制御盤１０内に敷設されるケーブルについても、そこに接続されている機器の発光部品を特殊点滅することで、その設置位置を容易に判断することができる。したがって、保守員はマニュアルを持たずに点検・交換作業を円滑に行うことができる。
【００５６】
また、ケーブルの他にも、発光部品付きでなく、かつ、その設置位置を特定できない機器の場合には、その機器に関連した機器の発光部品を特殊点滅することで、当該機器の設置位置を予測することが可能である。
【００５７】
また、ここではエレベータ制御盤１０内の各機器を例にして説明したが、かご機器７１や乗場機器８１などの他の機器であっても同様である。
【００５８】
また、保守員が目視可能なエレベータの構成機器の中で７セグメントＬＥＤや液晶などの表示装置を備えている機器があれば、その表示装置に機器の位置情報を文字表示してもよい。さらに、機器の位置情報を主制御基板１１から出力して外部の表示装置へ転送して表示してもよい。
【００５９】
さらに、各機器の位置情報に関し、横方向（Ｘ）、縦方向（Ｙ）だけでなく、高さ方向（Ｚ）を加えて３次元で管理することでもよい。
【００６０】
以上述べた少なくとも１つの実施形態によれば、部品点数を極力抑えて、保守員に点検・交換対象とする機器の設置位置を容易に知らせることのできるエレベータの保守システムを提供することができる。
【００６１】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１０…エレベータ制御盤、１１…主制御基板、１２…主制御部、１３…発光部品、１４…記憶部、１４ａ…機器コード、１５…入力部、２１…制御盤機器、２２…制御部、２３…発光部品、３１…制御盤機器、３２…制御部、３３…発光部品、４１…制御盤機器、４２…制御部、５１…制御盤機器、５２…制御部、５３…発光部品、６１〜６３…ケーブル、７１…制御盤機器、７２…制御部、７３…発光部品、８１…制御盤機器、８２…制御部、８３…発光部品、９１，９２…ケーブル。
【図１】
2013018593.tif 000003
【図２】
2013018593.tif 000004
【図３】
2013018593.tif 000005
【図４】
2013018593.tif 000006
【図５】
2013018593.tif 000007